(57)【特許請求の範囲】
【請求項１】
第１プリント配線板上の接続端子上に、第２プリント配線板の端部端子を重ねて半田付けするプリント配線板の接続構造において、
第２プリント配線板の端部端子は、絶縁性の基部と、第１プリント配線板上の接続端子の配線パターンに重ね合わせる上記基部の面とは逆の面のみに配線パターンが形成された片面プリント配線板であり、
さらに上記第２プリント配線板の端部端子の形状は、上記基部と配線パターンとが一体に、先端に向かうにつれて先細となるテーパー形状とされ、
かつ、このテーパー形状とされた端部端子は、上記第１プリント配線板の接続端子上に重ねられた状態において、その先端縁部と両側縁部が、該接続端子の配線パターン上に表われる形状とされていること、を特徴とするプリント配線板の接続構造。
【請求項２】
請求項１記載のプリント配線板の接続構造において、第１プリント配線板上の接続端子は、複数の接続端子として第１プリント配線板上に並設され、
第２プリント配線板の端部端子は、上記複数の接続端子に対応する複数の端部端子として設けられ、
かつ、この複数の端部端子は、第２プリント配線板の端部にクシ歯形状に形成され、この複数の端部端子の各々が、先端に向かうにつれて先細となるテーパー形状とされているプリント配線板の接続構造。
【請求項３】
請求項１または２記載のプリント配線板の接続構造において、第２プリント配線板は、フレキシブル配線板であるプリント配線板の接続構造。
【請求項４】
請求項１ないし３のいずれか一項記載のプリント配線板の接続構造において、第１プリント配線板及び第２プリント配線板は、カメラ内部の配線に用いられるプリント配線板の接続構造。
【請求項５】
第１プリント配線板上の接続端子上に、第２プリント配線板の端部端子を重ねて半田付けするプリント配線板の接続構造において、
第２プリント配線板の端部端子は、絶縁性の基部と、第１プリント配線板上の接続端子に重ね合わせる上記基部の面とは逆の面のみに配線パターンが形成された片面プリント配線板であり、
第１プリント配線板の接続端子の配線パターン形状は、先端に向かうにつれて先細となり、かつ、この配線パターン上に第２プリント配線板の端部端子が重ねられた状態において、この配線パターン上に上記端部端子の配線パターンおよびその先端縁部と両側縁部が表われる形状とされていることを特徴とするプリント配線板の接続構造。
【発明の詳細な説明】
【０００１】
【発明の属する技術分野】
本発明は、プリント配線板の接続構造に関する。
【０００２】
【従来技術およびその問題点】
従来、ベースとなるプリント配線板（ベース配線板）の接続ランド部上に、このプリント配線板とは別体として設けられたフレキシブル配線板（被接続配線板）の接続端部を半田付けによって取り付ける接続構造が知られている。この従来の接続構造の一例として、ベース配線板上の接続ランド部を、互いに一定間隔をおいて並設した複数の接続端子とし、他方被接続配線板の接続端部を、クシ歯形状に形成した複数の端部端子とし、上記複数の端部端子の各々が上記複数の接続端子の各々に対応するように接続ランド部上に接続端部を重ね合わせ、各端部端子を対応する接続端子上に半田付けして取り付けるものがある。
【０００３】
このようなプリント配線板の接続構造において、被接続配線板が、片面のみに配線パターンが形成された片面フレキシブル配線板の場合、従来では、例えば各接続端子の幅を、対応する端部端子の幅よりも広くすることで、各端部端子が、対応する接続端子上に確実に半田付けされるようにしていた。しかしながら、この従来構造では、複数の接続端子の各々が幅広のために、接続ランド部自体が大型化し、これに伴って対応する被接続配線板の接続端部も大型化していた。この大型化を避けるために、被接続配線板を、片面のみに配線パターンが形成された片面フレキシブル配線板とせず、少なくとも接続端部の部分が両面パターンとされた両面フレキシブル配線板とする場合があった。この場合、互いに重なり合わされた接続端子と端部端子の間に半田が流れ込んで互いが良好に半田付けされる。しかしながら、被接続配線板を両面フレキシブル配線板とするとコスト高になるという問題があった。
【０００４】
【発明の目的】
本発明は、以上の問題点に鑑みて成されたもので、小型化かつ低コストを実現するプリント配線板の接続構造を提供することを目的とする。
【０００５】
【発明の概要】
本発明は、第１プリント配線板上の接続端子上に、第２プリント配線板の端部端子を重ねて半田付けするプリント配線板の接続構造において、第２プリント配線板の端部端子は、絶縁性の基部と、第１プリント配線板上の接続端子の配線パターンに重ね合わせる上記基部の面とは逆の面のみに配線パターンが形成された片面プリント配線板であり、さらに上記第２プリント配線板の端部端子の形状は、上記基部と配線パターンとが一体に、先端に向かうにつれて先細となり、かつ、上記第１プリント配線板の接続端子上に重ねられた状態において、その先端縁部と両側縁部が、該接続端子の配線パターン上に表われる形状とされていること、を特徴としている。
【０００６】
また本発明のプリント配線板は、先端に向かうにつれて先細となる端部端子をクシ歯状に複数個備えたことを特徴としている。
【０００７】
また本発明は、第１プリント配線板上の接続端子上に、第２プリント配線板の端部端子を重ねて半田付けするプリント配線板の接続構造において、第２プリント配線板の端部端子は、絶縁性の基部と、第１プリント配線板上の接続端子に重ね合わせる上記基部の面とは逆の面のみに配線パターンが形成された片面プリント配線板であり、第１プリント配線板の接続端子の配線パターン形状は、先端に向かうにつれて先細となり、かつ、この配線パターン上に第２プリント配線板の端部端子が重ねられた状態において、この配線パターン上に上記端部端子の配線パターンおよびその先端縁部と両側縁部が表われる形状とされていることを特徴としている。
以上
【０００８】
【発明の実施の形態】
以下図面を参照して本発明を説明する。図１及び図２は、本発明を適用したプリント配線板の接続構造を示す実施例である。この実施例では、ベースとなるプリント配線板（第１プリント配線板）１０の各接続端子１３上に、このプリント配線板１０とは別体として設けられたプリント配線板（第２プリント配線板）２０の対応する端部端子２２ａが半田付けによって接続される。
【０００９】
プリント配線板１０は、所定の形状及び回路パターンを有するフレキシブルプリント基板（ＦＰＣ基板：flexible printed circuit board) の一部を構成するもので、ポリエステル樹脂やポリイミド樹脂等の可撓性を有する絶縁体フィルムからなる基部１１と、この基部１１に固定された、銅箔やアルミニウム箔等からなる複数のプリント配線１２を有している。複数のプリント配線１２は、プリント配線板１０上に互いに平行に並設されていて、各プリント配線１２の端部は、所定の幅ｈ1 とされた矩形の接続端子１３として構成されている。この接続端子１３は、絶縁体の基部１１片側の表面（図１に表れている面）から露出されており、接続端子１３以外のプリント配線１２部分は基部１１に覆われている。複数の接続端子１３は、全体で接続ランド部１４を構成している。
【００１０】
他方、プリント配線板２０は、プリント配線板１０と同様に、所定の形状及び回路パターンを有するフレキシブルプリント基板の一部を構成するもので、ポリエステル樹脂やポリイミド樹脂等の可撓性を有する絶縁体フィルムからなる基部２１と、この基部２１に固定された、銅箔やアルミニウム箔等からなる複数のプリント配線２２を有している。プリント配線板２０は、片面（図１に表れている面）上のみに配線パターンが形成された片面フレキシブル配線板である。
【００１１】
プリント配線板２０は、幅ｗ1 とされかつ所定の長さを有する配線部２０ａと、この配線部２０ａの端部に形成されかつ上記幅ｗ1 より幅広の幅ｗ2 とされた配線端部２０ｂを有している。複数のプリント配線２２は、配線部２０ａでは各々幅細とされかつ互いに密に並設され、配線端部２０ｂでは幅広とされて並設されている。
【００１２】
配線端部２０ｂの端部は、図に示すようにクシ歯形状に形成され、このクシ歯の各歯がプリント配線２２の端部を有している。配線端部２０ｂにおける複数のプリント配線２２の各端部は、絶縁体の基部２１片側の表面（図１に表れている面）から露出されて端部端子２２ａとして構成され、この端部端子２２ａ以外のプリント配線２２部分は基部２１に覆われている。複数の端部端子２２ａは、全体で接続端部２３を構成している。
【００１３】
各端部端子２２ａは、配線端部２０ｂと接続する側の端部の幅ｈ2 が接続端子１３の幅ｈ1 と同一幅とされている。また各端部端子２２ａは、自由端部の幅ｈ3 が幅ｈ2 よりも幅狭とされ、先端に向かうにつれて先細となるテーパー形状とされている。
【００１４】
以上の構成を有するプリント配線板１０とプリント配線板２０の接続構造では、プリント配線板１０の接続ランド部１４にプリント配線板２０の接続端部２３を取り付けるとき、図２に示すように各接続端子１３上に、対応する端部端子２２ａが載せられた状態で互いが半田付けされる。つまり、各端部端子２２ａは、対応する接続端子１３上に重ねられた状態において、その先端縁部ａと両側縁部ｂ、ｃが該接続端子１３上に表われる形状とされており、よって、その先端縁部ａと両側縁部ｂ、ｃとを、対応する接続端子１３との半田付け縁部としている。
【００１５】
図６及び図７は、プリント配線板２０の各端部端子２２ａ’が先細のテーパー形状とされていない従来例を示すものである。同図中、図１及び図２に示した本発明のプリント配線板１０及びプリント配線板２０と同様の部分には同符号を付してある。図６及び図７でのプリント配線板１０は、図１及び図２のプリント基板１０と同じである。図６及び図７に示すように、接続端部２３’の各端部端子は、同図の上下方向に沿って同一幅とされた端部端子２２ａ’として構成されており、図７に示すように、その先端縁部ｂ’を、対応する接続端子１３との半田付け縁部としている。
【００１６】
この従来例では、各端部端子２２ａ’が、その先端縁部ｂ’のみを半田付け縁部として対応する接続端子１３上に半田付けされるために、半田付け後、接続端子１３と端部端子２２ａ’の接続状態が不安定であり、接続端子１３上から端部端子２２ａ’が外れ易いという問題がある。これに対して、図２に示す本発明の接続構造では、各端部端子２２ａが、先端縁部ａ及び両側縁部ｂ、ｃの３つの縁部を対応する接続端子１３との半田付け縁部として対応する接続端子１３上に半田付けされるために、接続端子１３と端部端子２２ａの接続状態が安定し、接続端子１３上から端部端子２２ａが外れにくいという利点がある。よって、図１及び図２に示す本発明を適用したプリント配線板の接続構造では、プリント配線板１０の接続ランド部１４を大型化することなく接続ランド部１４と接続端部２３の良好な取り付けを実現している。
【００１７】
上記本発明のプリント配線板の接続構造を、例えばカメラの内部配線に応用することができる。図３ないし図５は、この応用の一例である実施例を示している。図３ないし図５中、図１及び図２での部材と実質的に同様の部材には同一符号を付してある。
【００１８】
カメラ３０は、カメラボディ３１内における中央上部にペンタプリズム３２を備えた一眼レフカメラである。ペンタプリズム３２の下方後部には撮影開口３３を備えたアパーチャ枠３４が設けられ、このアパーチャ枠３４の前方には、カメラボディ３１の前面に固定されたレンズマウント環２５が位置している。このレンズマウント環２５には、着脱可能なレンズ鏡筒（図示せず）が装着される。カメラボディ３１内におけるアパーチャ枠３４の左右には、パトローネ室３５とスプール室３６が形成されており、スプール室３６内には回転駆動されるスプール３７が備わっている。スプール室３６の前方にはカメラ３０のグリップ部３８が形成されており、このグリップ部３８内には電池３９と内蔵ストロボ用の円筒形コンデンサ４０が互いに隣接して配設されている。
【００１９】
カメラボディ３１内におけるアパーチャ枠３４の直前には、フォーカルプレーンシャッター４３が配設されている。このフォーカルプレーンシャッター４３のスプール室３６側の一側には、このフォーカルプレーンシャッター４３を駆動するシャッター駆動部４３ａが固定されている。このシャッター駆動部４３ａの前面に、該シャッター駆動部４３ａに電気的に接続されたシャッター駆動用のサブプリント基板４４が固定されている。
【００２０】
カメラ３０は、カメラボディ３１内に２つのフレキシブルプリント基板即ちメインプリント基板５０とサブプリント基板４４を有している。これらメインプリント基板５０とサブプリント基板４４の夫々が、本発明の接続構造を有する互いに接続されるフレキシブル配線板を有している。
【００２１】
メインプリント基板５０は、回路素子としてのＬＳＩ５１が実装された中央回路基板部分５０ａを有しており、この中央回路基板部分５０ａはペンタプリズム３２の上面に沿わせて固定されている。またメインプリント基板５０は、中央回路基板部分５０ａの左右に、カメラ３０の左右方向に水平に延びる左側回路基板部分５０ｂ及び右側回路基板部分５０ｃを有している。またメインプリント基板５０は、中央回路基板部分５０ａの一部から延びるフレキシブル配線板（第１プリント配線板）５２を有している。このフレキシブル配線板５２の端部５２ａに、複数の接続端子１３からなる接続ランド部１４が形成されている。
【００２２】
他方、シャッター駆動部４３ａの前面に固定されたサブプリント基板４４上には所定の回路素子（図示せず）が実装されており、またサブプリント基板４４上には、このサブプリント基板４４とメインプリント基板５０とを電気的に接続するためのフレキシブル配線板４５の一端部４５ａが接続されている。このフレキシブル配線板４５の他端部４５ｂに、複数の端部端子２２ａからなる接続端部２３が形成されている。この接続端部２３は、カメラボディ３１内におけるペンタプリズム３２の直前にて接続ランド部１４と接続されている。
【００２３】
図５に拡大して示すように、フレキシブル配線板４５とフレキシブル配線板５２は、本発明を適用した接続ランド部１４と接続端部２３を介して接続されるので、プリント配線板５２の接続ランド部１４を大型化することなく接続ランド部１４と接続端部２３の良好な取り付けを実現している。つまり、この接続ランド部１４と接続端部２３を介しての接続構造は、カメラボディ３１内における回路配線のためのスペースを最小限としてカメラボディ３１の小型化実現に寄与している。
【００２４】
上記実施例は一眼レフカメラであるカメラ３０に関するものであるが、本発明は、他の構成を有する一眼レフカメラや、一眼レフカメラに限らずレンズシャッター式カメラにも適用することができる。また本発明は、カメラ以外の他の電子機器にも適用することができる。
【００２５】
複数の接続端子や端部端子の数は、上記図示実施例の数に限定されない。また接続端部の各端部端子の形状は、図１及び図２に示す端部端子２２ａの形状に限定されず、図８に示すように端部端子の先端が丸みを帯びたテーパー形状としてもよい。
【００２６】
また、第２プリント配線板の各端部端子を先細のテーパー形状にする代わりに、例えば図９に示すように、第１プリント配線板であるプリント配線板１０の接続ランド部を、先端に向かうにつれて先細となる接続端子１３’を複数有する接続ランド部１４’としてもよい。接続端子１３’の先端の幅ｈ4 は、図９の上下方向に沿って同一幅に形成された端部端子２２ａ’の幅ｈ5 と同一幅であり、接続端子１３’の先端とは逆側の端部の幅ｈ6 は、幅ｈ4 よりも幅広とされている。したがって、テーパー形状とされた各接続端子１３’は、この接続端子１３’上に、対応する端部端子２２ａ’が重ねられた状態において、この接続端子１３’上に該端部端子２２ａ’の先端縁部ａ’と両側縁部ｂ’、ｃ’が表われる形状とされている。この構成によっても、図１及び図２に示した接続構造と同様に、各端部端子２２’が、対応する接続端子１３’上に良好に半田付けされる。
【００２７】
【発明の効果】
以上のように、本発明のプリント配線板の接続構造によれば、第２プリント配線板の端部端子の部分の両面配線化等を行うことなく、接続ランド部と接続部を良好な状態で取り付けられるので、小型化かつ低コストであるプリント配線板の接続構造を提供することができる。
【図面の簡単な説明】
【図１】本発明を適用したプリント配線板の接続前の状態を示す平面図である。
【図２】図１におけるプリント配線板の接続後の状態を示す平面図である。
【図３】本発明のプリント配線板の接続構造を適用したカメラの要部を示す正面図である。
【図４】図３に示すカメラを上方から視た同要部を示す上面図である。
【図５】図３及び図４に示すカメラの要部を拡大して示す正面図である。
【図６】好ましくない構造を有するプリント配線板の接続前の状態を示す平面図である。
【図７】図６におけるプリント配線板の接続後の状態を示す平面図である。
【図８】第２プリント配線板の他の実施例を示す平面図である。
【図９】本発明を適用したプリント配線板の接続構造の他の実施例を示す平面図である。
【符号の説明】
１０  プリント配線板（第１プリント配線板）
１１  基部
１２  プリント配線
１３  接続端子
１４  接続ランド部
２０  プリント配線板（第２プリント配線板）
２０ａ  配線部
２０ｂ  配線端部
２１  基部
２２  プリント配線
２２ａ  端部端子
２３  接続端部
３０  カメラ
３２  ペンタプリズム
４４  サブプリント基板
４５  フレキシブル配線板（第２プリント配線板）
５０  メインプリント基板
５２  フレキシブル配線板（第１プリント配線板）
【図１】
0003762461.tif 000002
【図２】
0003762461.tif 000003
【図３】
0003762461.tif 000004
【図４】
0003762461.tif 000005
【図５】
0003762461.tif 000006
【図６】
0003762461.tif 000007
【図７】
0003762461.tif 000008
【図８】
0003762461.tif 000009
【図９】
0003762461.tif 000010